(57)【要約】【課題】算出式を自動で選択して湿球黒球温度を算出する。【解決手段】湿球黒球温度測定装置１０は黒球温度センサ１２と気温センサ１４と湿度センサ１５と制御部１６とを有する。黒球温度センサ１２は黒球温度を検出する。気温センサ１４は気温を検出する。制御部１６は黒球温度センサ１２が検出する黒球温度および気温センサが検出する気温の差分を閾値と比較する。制御部１６は差分が閾値より大きいときに屋外用の湿球黒球温度の算出式を用いて湿球黒球温度を算出する。制御部１６は差分が閾値より小さいときに屋内用の湿球黒球温度の算出式を用いて湿球黒球温度を算出する。【選択図】図２
2014181973.tif 000002
【特許請求の範囲】
【請求項１】
黒球温度を検出する黒球温度センサと、
気温を検出する気温センサと、
湿度を検出する湿度センサと、
前記黒球温度センサが検出する前記黒球温度および前記気温センサが検出する前記気温の差分を閾値と比較し、前記差分が前記閾値より大きいときに屋外用の湿球黒球温度の算出式を用いて湿球黒球温度を算出し、前記差分が前記閾値より小さいときに屋内用の湿球黒球温度の算出式を用いて前記湿球黒球温度を算出する制御部とを備える
ことを特徴とする湿球黒球温度測定装置。
【請求項２】
請求項１に記載の湿球黒球温度測定装置であって、
前記黒球温度センサおよび前記気温センサの距離と、前記黒球温度センサおよび前記湿度センサの距離とが等しく離間された配置される
ことを特徴とする湿球黒球温度測定装置。
【請求項３】
請求項１または請求項２に記載の湿球黒球温度測定装置であって、
前記気温センサおよび前記湿度センサは、前記黒球温度センサの外殻の直径の半分より大きな間隔で、前記黒球温度センサから離間させて配置される
ことを特徴とする湿球黒球温度測定装置。
【請求項４】
請求項１または請求項２に記載の湿球黒球温度測定装置であって、
前記気温センサおよび前記湿度センサは、前記黒球温度センサの外殻の直径より大きな間隔で、前記黒球温度センサから離間させて配置される
ことを特徴とする湿球黒球温度測定装置。
【請求項５】
請求項１に記載の湿球黒球温度測定装置であって、
前記気温センサおよび前記湿度センサは、前記黒球温度センサの外殻の直径の２倍より大きな間隔で、前記黒球温度センサから離間させて配置される
ことを特徴とする湿球黒球温度測定装置。
【請求項６】
請求項１から請求項５のいずれか１項に記載の湿球黒球温度測定装置であって、前記制御部が前記湿球黒球温度の算出に用いた算出式が屋外用および屋内用のいずれであるかを報知する報知部を、さらに備えることを特徴とする湿球黒球温度測定装置。
【請求項７】
請求項１から請求項６のいずれか１項に記載の湿球黒球温度測定装置であって、少なくとも前記気温センサを内部に保持し、前記気温センサ近傍に通気孔を有する筐体を、さらに備えることを特徴とする湿球黒球温度測定装置。
【請求項８】
請求項１から請求項７のいずれか１項に記載の湿球黒球温度測定装置であって、前記制御部は、前記差分が前記閾値より大きいときには前記黒球温度センサの検出する黒球温度を補正して前記屋外用の湿球黒球温度の算出式に用い、前記差分が前記閾値より小さいときには前記黒球温度センサの検出する黒球温度をそのまま前記屋内用の湿球黒球温度の算出式に用いることを特徴とする湿球黒球温度測定装置。
【請求項９】
請求項１から請求項８のいずれか1項に記載の湿球黒球温度測定装置であって、前記湿球黒球温度測定装置は可搬型であることを特徴とする湿球黒球温度測定装置。
【発明の詳細な説明】
【技術分野】
【０００１】
本発明は、簡易かつ正確に湿球黒球温度を測定する湿球黒球温度測定装置に関するものである。
【背景技術】
【０００２】
熱中症などの暑熱環境下における身体適応の障害の発生を予防するために、湿球黒球温度が運動の指針を示すための指標として用いられている。湿球黒球温度を測定するために多様な測定装置が提案されている（特許文献１参照）。
【先行技術文献】
【特許文献】
【０００３】
【特許文献１】特開２００３−１１４２８４号公報
【発明の概要】
【発明が解決しようとする課題】
【０００４】
湿球黒球温度は、湿球温度、黒球温度、および乾球温度に基づいて、特定の算出式により算出される。湿球黒球温度の算出式は屋外用および屋内用の算出式が別々に定められており、湿球黒球温度の測定場所に応じて使い分けられる。いずれの算出式を用いるかは、使用者が選択して、上述の測定装置に算出させることが一般的であった。しかし、屋外であれば常に屋外用の算出式を用いるわけではなく、使用者にとってその選択は煩雑であり、自動化されることが求められていた。また、装置を可搬可能な小型なものにして、かつ正確な湿球黒球温度測定できることが求められていた。
【０００５】
本発明は、かかる観点に鑑みてなされたもので、算出式を自動で選択し、可搬可能で正確な湿球黒球温度を算出する湿球黒球温度測定装置を提供することを目的とするものである。
【課題を解決するための手段】
【０００６】
上述した諸課題を解決すべく、第１の観点による湿球黒球温度測定装置は、
黒球温度を検出する黒球温度センサと、
気温を検出する気温センサと、
湿度を検出する湿度センサと、
前記黒球温度センサが検出する前記黒球温度および前記気温センサが検出する前記気温の差分を閾値と比較し、前記差分が前記閾値より大きいときに屋外用の湿球黒球温度の算出式を用いて湿球黒球温度を算出し、前記差分が前記閾値より小さいときに屋内用の湿球黒球温度の算出式を用いて前記湿球黒球温度を算出する制御部とを備える
ことを特徴とするものである。
【０００７】
また、第２の観点による湿球黒球温度測定装置において、
前記黒球温度センサおよび前記気温センサの距離と、前記黒球温度センサおよび前記湿度センサの距離とが等しく離間されて配置される
ことが好ましい。
【０００８】
また、第３の観点による湿球黒球温度測定装置において、
前記気温センサおよび前記湿度センサは、前記黒球温度センサの外殻の直径の半分より大きな間隔で、前記黒球温度センサから離間させて配置される
ことが好ましい。
【０００９】
また、第４の観点による湿球黒球温度測定装置において、
前記気温センサおよび前記湿度センサは、前記黒球温度センサの外殻の直径より大きな間隔で、前記黒球温度センサから離間させて配置される
ことが好ましい。
【００１０】
また、第５の観点による湿球黒球温度測定装置において、
前記湿球黒球温度の算出に用いる湿度を検出する湿度センサを、さらに備え、
前記気温センサおよび前記湿度センサは、前記黒球温度センサの外殻の直径の２倍より大きな間隔で、前記黒球温度センサから離間させて配置される
ことが好ましい。
【００１１】
また、第６の観点による湿球黒球温度測定装置において、
前記制御部が前記湿球黒球温度の算出に用いた算出式が屋外用および屋内用のいずれであるかを報知する報知部を、さらに備える
ことが好ましい。
【００１２】
また、第７の観点による湿球黒球温度測定装置において、
少なくとも前記気温センサを内部に保持し、前記気温センサ近傍に通気孔を有する筐体を、さらに備える
ことが好ましい。
【００１３】
また、第８の観点による湿球黒球温度測定装置において、
前記制御部は、前記差分が前記閾値より大きいときには前記黒球温度センサの検出する黒球温度を補正して前記屋外用の湿球黒球温度の算出式に用い、前記差分が前記閾値より小さいときには前記黒球温度センサの検出する黒球温度をそのまま前記屋内用の湿球黒球温度の算出式に用いる
ことが好ましい。
【００１４】
また、第９の観点による湿球黒球温度測定装置において、
前記湿球黒球温度測定装置は可搬型である
ことが好ましい。
【発明の効果】
【００１５】
本発明によれば、気軽に可搬でき、算出式を自動で選択し、正確な湿球黒球温度を自動で算出することが可能である。
【図面の簡単な説明】
【００１６】
【図１】本発明の一実施形態に係る湿球黒球温度測定装置の正面図である。
【図２】湿球黒球温度測定装置の内部構成を概略的に示す機能ブロック図である。
【図３】屋内用の算出式を用いたときのモニタの表示内容を示す、湿球黒球温度測定装置の正面図である。
【図４】制御部が実行する湿球黒球温度表示処理を示すフローチャートである。
【発明を実施するための形態】
【００１７】
以下、本発明の実施の形態について、図を参照して説明する。
【００１８】
図１は、本発明の一実施形態に係る湿球黒球温度測定装置の外観図である。以下の説明においては、図１における上方、下方、左方、および右方を、それぞれ湿球黒球温度測定装置の上方、下方、左方、および右方として扱う。
【００１９】
湿球黒球温度測定装置１０は、筐体１１、黒球温度センサ１２、およびモニタ１３によって構成される。筐体１１は円盤状であり、筐体１１の側面の上方に黒球温度センサ１２が保持され、円盤の中央にモニタ１３が設けられる。筐体１１は後述の気温センサ１４、湿度センサ１５および制御部１６を内部に保持する。
【００２０】
後述するように、湿球黒球温度測定装置１０は、黒球温度センサ１２、気温センサ、および湿度センサの検出結果に基づいて、測定位置における湿球黒球温度を算出し、モニタ１３に表示する。
【００２１】
次に、湿球黒球温度測定装置１０の内部構成について、詳細に説明する。図２は、湿球黒球温度測定装置１０の内部構成を示す機能ブロック図である。湿球黒球温度測定装置１０は、黒球温度センサ１２、気温センサ１４、湿度センサ１５、制御部１６、およびモニタ１３を含んで構成される。
【００２２】
黒球温度センサ１２は、外面が黒色である球状の外殻と、外殻の中心近傍に配置される温度センサによって構成される。外殻の大きさおよび材料は任意に選択可能であり、例えば、直径２ｃｍで樹脂を用いて形成される。黒球温度センサ１２は、黒球温度を検出する。
【００２３】
気温センサ１４は、筐体１１内部に保持される。気温センサ１４は、黒球温度センサ１２の直径の２倍より大きな間隔で、黒球温度センサ１２から離間した位置（図１符合Ｐ１参照）に保持される。筐体１１の円盤状の両面の、気温センサ１４の設置位置の近傍には、通気孔１７が形成される。気温センサ１４は、両面の通気孔１７を通過する外気の気温、すなわち乾球温度を検出する。
【００２４】
湿度センサ１５は、筐体１１内部に保持される。湿度センサ１５は、黒球温度センサ１２の直径の半分より大きな間隔で、黒球温度センサ１２から離間した位置（図１符合Ｐ２参照）に保持される。筐体１１の円盤状の両面の、湿度センサ１５の設置位置の近傍には、通気孔１８が形成される。湿度センサ１５は、両面の通気孔１８を通過する外気の湿度、すなわち湿球温度を検出する。また、黒球温度センサ１２、気温センサ１４、および湿度センサ１５は、黒球温度センサ１２および気温センサ１４の距離と、黒球温度センサ１２および湿度センサ１５の距離とが等しくなるように、配置される。
【００２５】
制御部１６（図２参照）は、黒球温度センサ１２が検出する黒球温度から気温センサ１４が検出する気温を減じて差分を算出する。制御部１６は、差分と閾値を比較する。閾値は、屋外において計測される黒球温度および気温の差分の最小値以上の値、例えば２℃に定められる。
【００２６】
制御部１６は、差分が閾値以上であるときには、黒球温度センサ１２が検出する黒球温度を補正する。正規な湿球黒球温度は、直径６インチで、外部を黒色に着色した銅製の外殻を有する黒球温度計で測定した温度を用いて算出することが定められている。本実施形態では正規の黒球温度計と外殻が異なる黒球温度センサ１２を用いているので、検出値には乖離が生じ得る。そこで、本実施形態では、黒球温度センサ１２の検出値を、正規の黒球温度計の検出値に換算する補正を行う。黒球温度は、黒球温度センサ１２の実際の検出値に対する正規の黒球温度計の実際の検出値を予めサンプリングし、最小二乗法などにより定めた係数を用いた換算式によって正規の黒球温度に換算される。制御部１６は、差分が閾値未満であるときには、黒球温度センサ１２が検出する黒球温度の補正を停止する。
【００２７】
制御部１６は、差分が閾値以上であるときには、（１）式で表される屋外用の算出式を用いて、湿球黒球温度を算出する。一方、制御部１６は、差分が閾値未満であるときには、（２）式で表される屋内用の算出式を用いて、湿球黒球温度を算出する。
【００２８】
【数１】
2014181973.tif 000003
【００２９】
（１）および（２）式において、Ｔｗは湿度センサ１５が検出する湿球温度であり、Ｔｇｃは補正された黒球温度であり、Ｔｇｎｃは黒球温度センサ１２が検出する黒球温度であり、Ｔｄは気温センサ１４が検出する乾球温度である。
【００３０】
また、制御部１６は、気温センサ１４の検出する乾球温度および湿度センサ１５が検出する湿球温度に基づいて、相対湿度を算出する。さらに、制御部１６は、湿球黒球温度測定装置１０の各部位の動作を制御する。
【００３１】
モニタ１３は、制御部１６が算出した湿球黒球温度を表示する（図１、３符合“Ａ１”参照）。また、モニタ１３は、差分が閾値以上であると制御部１６が判断したときには、屋外であることを示すために、気温センサ１４が検出した温度を、“気温Ｙ℃”と表示する（図１符合“Ａ２”参照）。一方、モニタ１３は、差分が閾値未満であると制御部１６が判断したときには、屋内であることを示すために、気温センサ１４が検出した温度を“室温Ｙ℃”と表示する（図３符合“Ａ２”参照）。すなわち、モニタ１３は、制御部１６がいずれの算出式を用いたかを使用者に報知する報知部として機能する。また、モニタ１３は、制御部１６が算出した相対湿度を表示する（図１、３符合“Ａ３”参照）。
【００３２】
また、モニタ１３は、湿球黒球温度の高さに応じたインジケータ１９を表示する。インジケータ１９は、モニタ１３の円状の周囲に沿って、例えば１２段階に長さが変わる。例えば、湿球黒球温度が２１℃未満では、インジケータ１９は表示されない。湿球黒球温度が２１℃から２５℃までの間においては、インジケータ１９は、湿球黒球温度が高くなる程、筐体１１の下部の“注意”と記載された領域の右方から左方に延びるように切替わる。湿球黒球温度が２５℃から２８℃までの間においては、インジケータ１９は、湿球黒球温度が高くなる程、筐体１１の左部の“警戒”と記載された領域の下方から上方に延びるように切替わる。湿球黒球温度が２８℃から３１℃までの間においては、インジケータ１９は、湿球黒球温度が高くなる程、筐体１１の上部の“厳重警戒”と記載された領域の左方から右方に延びるように切替わる。湿球黒球温度が３１℃以上においては、インジケータ１９は、湿球黒球温度が高くなる程、筐体１１の左部の“危険”と記載された領域の上方から下方に延びるように切替わる。
【００３３】
次に、制御部１６が実行する湿球黒球温度表示処理について、図４のフローチャートを用いて説明する。湿球黒球温度表示処理は、湿球黒球温度測定装置１０の電源をＯＮにすると、開始する。湿球黒球温度表示処理は、湿球黒球温度測定装置１０の電源をＯＦＦにするまで繰返し実行される。あるいは、湿球黒球温度測定装置１０に入力部を設け、湿球黒球温度の測定を実行する入力を入力部が検出するときに開始し、表示後に終了してもよい。
【００３４】
ステップＳ１００において、制御部１６は、黒球温度センサ１２、気温センサ１４、湿度センサ１５それぞれから、黒球温度、乾球温度、および湿球温度を取得する。各温度を取得すると、プロセスはステップＳ１０１に進む。
【００３５】
ステップＳ１０１では、制御部１６は、ステップＳ１００において取得した乾球温度および湿球温度を用いて、相対湿度を算出する。相対湿度を算出すると、プロセスはステップＳ１０２に進む。
【００３６】
ステップＳ１０２では、制御部１６は、ステップＳ１００において取得した黒球温度から乾球温度を減じることにより差分を算出する。差分を算出すると、プロセスはステップＳ１０３に進む。
【００３７】
ステップＳ１０３では、制御部１６は、ステップＳ１０２において算出した差分を閾値と比較する。差分が閾値以上であるときには、プロセスはステップＳ１０４に進む。差分が閾値未満であるときには、プロセスはステップＳ１０７に進む。
【００３８】
ステップＳ１０４では、制御部１６は、ステップＳ１００において取得した黒球温度を、換算式を用いて、補正する。黒球温度を補正すると、プロセスはステップＳ１０５に進む。
【００３９】
ステップＳ１０５では、制御部１６は、ステップＳ１００において取得した乾球温度および湿球温度、ならびにステップＳ１０４において補正した黒球温度を、屋外用の算出式である（１）に代入することにより、湿球黒球温度を算出する。湿球黒球温度を算出すると、プロセスはステップＳ１０６に進む。
【００４０】
ステップＳ１０６では、制御部１６は、ステップＳ１００において取得した乾球温度を気温として、ステップＳ１０１において算出した湿度、ならびにステップＳ１０５において算出した湿球黒球温度を、モニタ１３に表示させる。モニタ１３への表示を終えると、プロセスはステップＳ１００に戻る。
【００４１】
前述のように、ステップＳ１０３において差分が閾値未満であるときには、ステップＳ１０７に進む。ステップＳ１０７では、制御部１６は、ステップＳ１００において取得した黒球温度および湿球温度を、屋内用の算出式である（２）に代入することにより、湿球黒球温度を算出する。湿球黒球温度を算出すると、プロセスはステップＳ１０８に進む。
【００４２】
ステップＳ１０８では、制御部１６は、ステップＳ１００において取得した乾球温度を室温として、ステップＳ１０１において算出した湿度、ならびにステップＳ１０７において算出した湿球黒球温度を、モニタ１３に表示させる。モニタ１３への表示を終えると、プロセスはステップＳ１００に戻る。
【００４３】
以上のような構成の本実施形態の湿球黒球温度測定装置によれば、黒球温度および気温の差分と閾値との比較に基づいて、湿球黒球温度の算出式を自動的に選択するので、使用者の利便性を向上させ、かつ、正確な測定が可能である。黒球温度は、上述の構成により熱輻射による影響を示す指標であって、熱輻射の影響が低い、即ち屋内と判別すべき測定条件に近付くほど、気温に近くなる。一方、黒球温度は、屋外と判別すべき測定条件であるときには、気温より高く、正規の黒球温度を用いた場合にはその差は１℃程度である。それゆえ、正規の黒球温度と気温の差分が１℃より大きいときには、屋外であると判別可能である。本実施形態においては、屋外と判別すべき状況における黒球温度センサ１２と正規の黒球温度計の構成、特に外殻の直径および材料の違いに応じて、当該差分を調整した値を閾値として設定することにより、測定環境が屋外および屋内であるかを判別可能である。
【００４４】
また、本実施形態の湿球黒球温度測定装置によれば、屋外用および屋内用のいずれの算出式を用いたかを“気温”または“室温”と表示することにより、使用者に報知可能である。従来の湿球黒球温度測定装置においては、使用者自身が判別し、測定装置において設定する構成なので、いずれの算出式を用いるかを使用者自身が認識可能である。一方、本実施形態においては、制御部１６が算出式を自動で選択するので、上述のような構成により、使用者に報知可能となる。
【００４５】
また、本実施形態の湿球黒球温度測定装置によれば、黒球温度センサ１２と、気温センサ１４および湿度センサ１５とを離間させているので、正確な乾球温度および湿球温度の検出、ならびに湿球黒球温度の算出が可能である。黒球温度センサ１２はその構造により外気より温度が高くなり得、その熱の気温センサ１４および湿度センサ１５への伝熱により正確な乾球温度および湿球温度の検出を阻害し得る。
【００４６】
本願発明者達が試行錯誤をなしたところ、黒球温度センサ１２および気温センサ１４の距離と、黒球温度センサ１２および湿度センサ１５の距離とを等しくしたところ、黒球温度センサ１２からの輻射熱が各センサに均等に当たることにより、各センサへの輻射熱の影響が均等となるため、湿球黒球温度を正確に測定できるという知見を得た。そこで、本実施形態では、上述のように、黒球温度センサ１２および気温センサ１４の距離と、黒球温度センサ１２および湿度センサ１５の距離とを等しく配置したので、湿球黒球温度を正確に測定することが可能である。
【００４７】
また、気温センサ１４および湿度センサ１５を、外殻の直径の少なくとも半分より大きな間隔で黒球温度センサ１２から離間させると、黒球温度センサ１２による伝熱の影響を抑制できたため、測定環境が屋外または屋内であるかの判別能力が向上するという知見を得た。さらに、気温センサ１４および湿度センサ１５を、外殻の直径より少なくとも大きな間隔で黒球温度センサ１２から離間させると、黒球温度センサ１２による伝熱の影響をより抑制でき、より測定環境の判別能力が向上するという知見を得た。また、気温センサ１４および湿度センサ１５を外殻の直径の少なくとも２倍より大きな間隔で黒球温度センサ１２を離間させると、黒球温度センサ１２による伝熱の影響をほぼ受けないという知見を得た。そこで、本実施形態では、上述のように、気温センサ１４および湿度センサ１５を、外殻の直径の少なくとも半分の距離だけ黒球温度センサ１２から離間させているので、黒球温度センサ１２の熱の影響を抑制可能である。
【００４８】
また、本実施形態の湿球黒球温度測定装置によれば、筐体１１の両面の、気温センサ１４および湿度センサ１５の設置位置近傍には通気孔１７、１８が形成されるので、正確な乾球温度および湿球温度の検出、ならびに湿球黒球温度の算出が可能である。気温センサ１４および湿度センサ１５を密閉した筐体内に保持させると、筐体内部に篭る熱により正確な乾球温度および湿球温度の検出を阻害し得る。そこで、本実施形態では、上述の構成により、筐体１１の、特に気温センサ１４および湿度センサ１５近傍を通気させることにより、熱の篭りを抑制可能である。
【００４９】
また、本実施形態の湿球黒球温度測定装置によれば、屋外であると判別するときに黒球温度の補正を行い、屋内と判別するときには黒球温度の補正を停止するので、湿球黒球温度の精度を向上可能である。前述のように、正規の黒球温度計および本実施形態における黒球温度センサ１２の検出値には乖離が生じ得るので、乖離が生じ得るときには検出された黒球温度の補正が必要である。一方、黒球温度は熱輻射の有無により気温から変動し、熱輻射の影響が低く屋内と判別するときは、正規の黒球温度計および本実施形態における黒球温度センサ１２の検出値は気温に近付き、両者の乖離はゼロに近付く。したがって、このような状況においては補正により、誤差が生じ得る。そこで、本実施形態においては、屋内であると判別するときには黒球温度センサ１２が検出する黒球温度の補正を停止することにより、湿球黒球温度の精度を向上可能である。
【００５０】
また、本実施形態の湿球黒球温度測定装置によれば、黒球温度センサ１２の外殻の直径が、例えば２ｃｍと、比較的小さく形成される。直径が小さな外殻を適用することにより、黒球温度センサ１２は環境温度変化に速やかに追随可能である。また、直系が小さな外郭は装置全体を小型化できるため、湿球黒球温度測定装置１０の可搬性の向上に寄与する。
【００５１】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００５２】
例えば、本実施形態において、いずれの算出式を用いたかを、“気温”または“室温”とモニタ１３に表示することにより、使用者に報知する構成であるが、他の方法により報知してもよい。例えば、音声により報知する構成であってもよい。
【符号の説明】
【００５３】
１０  湿球黒球温度測定装置
１１  筐体
１２  黒球温度センサ
１３  モニタ
１４  気温センサ
１５  湿度センサ
１６  制御部
１７  通気孔
１８  通気孔
１９  インジケータ
【図１】
2014181973.tif 000004
【図２】
2014181973.tif 000005
【図３】
2014181973.tif 000006
【図４】
2014181973.tif 000007